(57)【特許請求の範囲】
【請求項１】
発光部から板状に延びたベース部を有するバルブと、該ベース部が挿入される収容室を有するハウジングと、前記収容室内に設けられ、互いの間に前記ベース部を挟む一対の端子部と、を備えた照明装置であって、
前記ベース部の表面には、前記端子部に接続される電気接触部と、前記端子部に係止される突起と、が設けられ、
前記突起は、前記ベース部の前記収容室内への挿入方向の前方側に向かうに従って前記ベース部の表面から離れる方向に傾斜した第１傾斜面と、該第１傾斜面の前方側に向かうに従って前記ベース部の表面に近付く方向に傾斜した第２傾斜面と、を有し、
前記一対の端子部の各々は、前記電気接触部に接続される第１ばね片と、
前記突起よりも挿入方向の後方側で前記ベース部の表面に当接する第２ばね片と、
前記突起を係止する第３ばね片と、を有し、
前記第３ばね片は、前記突起の前記第１傾斜面に当接される第１当接部と、前記第２傾斜面に当接される第２当接部と、を有していることを特徴とする照明装置。
【請求項２】
前記第１当接部が前記突起の前記第１傾斜面に沿って形成され、かつ前記第２当接部が前記突起の前記第２傾斜面に沿って形成されていることを特徴とする請求項１記載の照明装置。
【請求項３】
前記第２ばね片には、前記ベース部に向かって凸に形成された湾曲部が設けられ、
前記第３ばね片には前記ベース部に当接される第３当接部が設けられ、
該第３当接部は、前記第１当接部の後方側で、前記挿入方向と前記一対の端子部の対向方向との双方向に交差する方向に前記湾曲部と並ぶ位置に設けられているとともに、前記ベース部の前記表面に沿って形成され、
前記端子部の自然状態において、前記第３当接部は、前記湾曲部の頂部よりも前記ベース部の表面から離れた位置に設けられていることを特徴とする請求項１又は請求項２記載の照明装置。
【請求項４】
前記端子部は、
前記第２ばね片の一端部に連なる端子本体と、
前記第２ばね片の他端部に連なり、前記第２ばね片よりも幅広な連結部と、を備え、
前記第３ばね片は、一端が前記連結部に連なり前記端子本体側の他端が自由端の片持ち状に形成されていることを特徴とする請求項１乃至請求項３記載の照明装置。
【発明の詳細な説明】
【技術分野】
【０００１】
本発明は、発光部から板状に延びたベース部を有するバルブと、該ベース部が挿入される収容室を有するハウジングと、を備えた照明装置に関する。
【０００２】
照明装置として、発光部から板状に延びたベース部を有するバルブと、該ベース部が挿入される収容室を有するハウジングと、前記収容室内に設けられ、互いの間に前記ベース部を挟む一対の端子部と、を備えた車両用照明装置が多く提案されている（例えば、特許文献１、特許文献２を参照。）。
【０００３】
上記車両用照明装置は、図７に示すように、内側に発光部（図示しない）が収容された、中空の硝子球であるバルブ本体１２１と、該バルブ本体１２１から板状に延びたベース部１２３と、を有するバルブ１０２と、該ベース部１２３が挿入される収容室１３０を有するハウジング１０３と、該収容室１３０内に設けられベース部１２３を挟む一対の端子部１０５と、を備えている。図７において、矢印Ｘは、ベース部１２３の収容室１３０内への挿入方向を示し、矢印Ｚは、一対の端子部１０５の対向方向を示している。
【０００４】
ベース部１２３は方体状に形成され、ベース部１２３の互いに対向する面の各々には、リード線（図示しない）と、突起１２０と、が設けられている。リード線は、一端が発光部に接続され、他端が端子部１０５に接続される。突起１２０は、挿入方向Ｘの前方に向かうに従ってベース部１２３の表面から離れる方向に傾斜した傾斜面１２０ａを有している。
【０００５】
一対の端子部１０５の各々には、リード線に接続される第１ばね片（図示しない）と、ベース部１２３に向かって湾曲した湾曲部１５２ａを有し、この湾曲部１５２ａの頂部が、ベース部１２３の表面に当接する第２ばね片１５２と、が設けられている。湾曲部１５２ａは、バルブ本体１２１の表面に沿って形成された第１当接部１５３と、該第１当接部１５３に連なり、突起１２０の傾斜面１２０ａに沿って形成された第２当接部１５４と、で構成されている。
【０００６】
上述した従来の照明装置１０１は、ハウジング１０３の収容室１３０内に一対の端子部１０５が収容された状態で、一対の端子部１０５間にベース部１２３が挿入されることにより、端子部１０５の第１ばね片がリード部に接続され、第２ばね片１５２は、その湾曲部１５２ａが突起１２０を乗り越えて、湾曲部１５２ａの頂部が突起１２０の挿入方向Ｘの後方側に位置付けられ、ベース部１２３の表面に当接することにより、バルブ１０２のハウジング１０３に対する抜け防止を図っていた。
【先行技術文献】
【特許文献】
【０００７】
【特許文献１】特開平７−２３０８６７号公報
【特許文献２】特開平２−４７７８７号公報
【発明の概要】
【発明が解決しようとする課題】
【０００８】
しかしながら、上述した従来の照明装置１０１において、バルブ１０２には、バルブ本体１２１と突起１２０との間に、湾曲部１５２ａを位置付けるための所定のクリアランスが設けられることが一般的であった。このため、収容室１３０内に一対の端子部１０５を収容した状態で、ベース部１２３を一対の端子部１０５間に挿入すると、バルブ本体１２１と湾曲部１５２ａとの間や、湾曲部１５２ａと突起１２０との間に隙間ができてしまうことがあった。特に、バルブにおいてもウェッジベースバルブのように全体を硝子で製造しているようなものにおいては公差が大きいので、この傾向が強くなる。そして、この隙間により、ベース部１２３がハウジング１０３、即ち、該ハウジング１０３に収容された一対の端子部１０５に対して挿入方向Ｘに移動して、バルブ１０２のガタ付きが生じてしまうという問題があった。
【０００９】
本発明の目的は、ハウジングに対するバルブの移動を防止して、バルブのガタ付きを抑制することができる照明装置を提供することにある。
【課題を解決するための手段】
【００１０】
請求項１に記載の本発明は、発光部から板状に延びたベース部を有するバルブと、該ベース部が挿入される収容室を有するハウジングと、前記収容室内に設けられ、互いの間に前記ベース部を挟む一対の端子部と、を備えた照明装置であって、前記ベース部の表面には、前記端子部に接続される電気接触部と、前記端子部に係止される突起と、が設けられ、前記突起は、前記ベース部の前記収容室内への挿入方向の前方側に向かうに従って前記ベース部の表面から離れる方向に傾斜した第１傾斜面と、該第１傾斜面の前方側に向かうに従って前記ベース部の表面に近付く方向に傾斜した第２傾斜面と、を有し、前記一対の端子部の各々は、前記電気接触部に接続される第１ばね片と、前記突起よりも挿入方向の後方側で前記ベース部の表面に当接する第２ばね片と、前記突起を係止する第３ばね片と、を有し、前記第３ばね片は、前記突起の前記第１傾斜面に当接される第１当接部と、前記第２傾斜面に当接される第２当接部と、を有していることを特徴とする照明装置である。
【００１１】
上記構成により、ハウジングの収容室内には一対の端子部が収容され、各端子部の各々には第３ばね片が設けられ、第３ばね片には、ベース部に形成された突起の第１傾斜面に当接される第１当接部と、第２傾斜面に当接される第２当接部と、が設けられているから、第１当接部の第１傾斜面への作用力、及び第２当接部の第２傾斜面への作用力が同時に働き、ハウジングに対するバルブの挿入方向の移動が防止される。
【００１２】
請求項２記載の本発明は、請求項１記載の照明装置において、前記第１当接部が前記突起の前記第１傾斜面に沿って形成され、かつ前記第２当接部が前記突起の前記第２傾斜面に沿って形成されていることを特徴とする。
【００１３】
上記構成により、第１当接部が、突起の第１傾斜面に沿って形成されているから、第１当接部の第１傾斜面への接触面積を大きくできるとともに、第２当接部が、突起の第２傾斜面に沿って形成されているから、第２当接部の第２傾斜面への接触面積を大きくできる。
【００１４】
請求項３記載の本発明は、請求項１又は請求項２の照明装置において、前記第２ばね片には、前記ベース部に向かって凸に形成された湾曲部が設けられ、前記第３ばね片には前記ベース部に当接される第３当接部が設けられ、該第３当接部は、前記第１当接部の後方側で、前記挿入方向と前記一対の端子部の対向方向との双方向に交差する方向に前記湾曲部と並ぶ位置に設けられているとともに、前記ベース部の前記表面に沿って形成され、前記端子部の自然状態において、前記第３当接部は、前記湾曲部の頂部よりも前記ベース部の表面から離れた位置に設けられていることを特徴とする。
【００１５】
上記構成により、第２ばね片の湾曲部がベース部に当接し、一対の第２ばね片がベース部を挟持しつつ、挿入方向と一対の端子部の対向方向との双方向に交差する方向に湾曲部と並ぶ位置に設けられているとともに、ベース部の表面に沿って形成された第３当接部が、ベース部に当接する。端子部の自然状態において、湾曲部の頂部は、第３当接部よりもベース部の表面に近い位置に設けられているので、ベース部が一対の端子部間に挿入された際に、湾曲部の第３当接部から離れた端部が押し下げられるのに連動され、第３当接部の湾曲部から離れた端部が持ち上げられる。
【００１６】
請求項４記載の本発明は、請求項１乃至請求項３のうちいずれか一項記載の照明装置において、前記端子部は、前記第２ばね片の一端部に連なる端子本体と、前記第２ばね片の他端部に連なり、前記第２ばね片よりも幅広な連結部と、を備え、前記第３ばね片は、一端が前記連結部に連なり前記端子本体側の他端が自由端の片持ち状に形成されていることを特徴とする。
【００１７】
上記構成により、端子部は、第２ばね片の一端部に連なる端子本体と、第２ばね片の他端部に連なり、第２ばね片よりも幅広な連結部と、を備え、第３ばね片は、一端が連結部に連なり端子本体側の他端が自由端の片持ち状に形成されているので、第３ばね片は、端子本体と第２ばね片との間に切り込みを入れ、第２ばね片を、端子本体から連結部まで割くことにより形成される。
【発明の効果】
【００１８】
請求項１記載の本発明によれば、第３ばね片には、ベース部に形成された突起の第１傾斜面に当接される第１当接部と、第２傾斜面に当接される第２当接部と、が設けられているから、第１当接部の第１傾斜面への作用力、及び第２当接部の第２傾斜面への作用力が同時に働き、ハウジングに対するバルブの挿入方向の移動が防止され、バルブのガタ付きを抑制することができる。
【００１９】
請求項２記載の本発明によれば、第１当接部の第１傾斜面への接触面積を大きくできるとともに、第２当接部の第２傾斜面への接触面積を大きくできるから、第１当接部の第１傾斜面への摩擦力、及び第２当接部の第２傾斜面への摩擦力を大きくでき、これにより、より一層、ハウジングに対するバルブの挿入方向の移動が防止され、バルブのガタ付きを抑制することができる。
【００２０】
請求項３記載の本発明によれば、湾曲部の頂部は、第３当接部よりもベース部の表面に近い位置に設けられているので、ベース部が一対の端子部間に挿入された際に、湾曲部の第３当接部から離れた端部が押し下げられるのに連動され、第３当接部の湾曲部から離れた端部が持ち上げられ、ベース部の傾きを抑制することができる。
【００２１】
請求項４記載の本発明によれば、第３ばね片は、端子本体と第２ばね片との間に切り込みを入れ、第２ばね片を、端子本体から連結部まで割く容易な手段で形成される。即ち、端子部は、導電性の板金に打ち抜き加工、及び曲げ加工を施すことにより形成されるが、第３ばね片は、従来の端子部と同様の金型を用いて打ち抜き加工を施すことにより形成されるので、従来の金型を利用することができ、端子部の製造コストを抑制することができる。
【図面の簡単な説明】
【００２２】
【図１】本発明の一実施の形態にかかる照明装置を示す断面図である。
【図２】（Ａ）は、図１に示された照明装置を構成するバルブを示す斜視図である。（Ｂ）は、（Ａ）中のＩ−Ｉ線に沿う断面図である。
【図３】図１に示された照明装置を構成する端子部を示す斜視図である。
【図４】（Ａ）は、図３に示された端子部の側面図であり、（Ｂ）は、上面図である。
【図５】図１に示されたハウジングの収容室内に、バルブが挿入される様子を示す断面図である
【図６】バルブがハウジングの収容室内に挿入された状態を示す断面図である。
【図７】従来の照明装置を示す断面図である。
【発明を実施するための形態】
【００２３】
本発明の一実施の形態にかかる照明装置を、図１〜図６を参照して説明する。この照明装置としての車両用ルームランプ１は、自動車の車体パネルを覆う内装用壁材としてのルーフトリムに設けられたランプ装着用開口に装着されて前記自動車の乗員室内を照明する装置である。車両用ルームランプ１は、図１に示すように、発光部２１から板状に延びたベース部２３を有するバルブ２と、該ベース部２３が挿入される収容室３０を有するハウジング３と、収容室３０内に設けられるとともに互いの間にベース部２３を挟む一対の端子部５と、を備えている。
【００２４】
ここで、ベース部２３の収容室３０への挿入方向を矢印Ｘで示し、一対の端子部５の対向方向を矢印Ｙで示し、矢印Ｘと矢印Ｙとの双方向に交差する方向を矢印Ｚで示す。また、本明細書では、挿入方向（矢印Ｘ方向）の前方側、即ち、図１中の紙面方向における右側を単に「前方」と表現し、挿入方向の後方側を、即ち、図１中の紙面方向における左側単に「後方」と表現することがある。
【００２５】
バルブ２は、中空の硝子球であるバルブ本体２０と、該バルブ本体２０内に設けられた発光部２１と、該発光部２１に接続される一対の電極（図示しない）と、バルブ本体２０の端部から板状に延びたベース部２３と、を有している。
【００２６】
ベース部２３は、図２（Ａ）に示すように、バルブ本体２０と対向しているとともに、平面視が長方形状の基面２３Ａと、該基面２３Ａの幅方向（矢印Ｙ方向）の縁に連なる上面２３Ｂ及び下面２３Ｃと、基面２３Ａの長手方向（矢印Ｚ方向）の両縁に連なる一対の側面２３Ｄと、を有しているとともに、これら上面２３Ｂ、及び下面２３Ｃの各々には、リード線２４と、４つの突起２５、２６、２７、２８と、が設けられている。リード線２４及び４つの突起２５、２６、２７、２８の各々は、基面２３Ａにおける対角線の交点を対称の中心とする点対称に配置されている。以下では、上面２３Ｂのみの構成について説明し、下面２３Ｃの構成については上面２３Ｂと同一のため省略する。リード線２４は、特許請求の範囲に記載された「電気接触部」に相当する。
【００２７】
リード線２４は、矢印Ｚ方向の端部に設けられているとともに、一端が電極に接続され、他端側は基面２３Ａから突出するとともに、上面２３Ｂ上に矢印Ｘ方向に沿わされている。
【００２８】
４つの突起２５、２６、２７、２８は、上面２３Ｂの矢印Ｚ方向の中心に設けられた第１突起２５と、端子部５に係止される第２突起２６と、該第２突起２６との間にリード線２４を位置付ける、矢印Ｚ方向の一端部に設けられた第３突起２７と、矢印Ｚ方向の他端部に設けられた第４突起２８と、を備えている。第２突起２６は、第３突起２７と矢印Ｚ方向に並ぶ位置に設けられている。この第２突起２６の頂部における矢印Ｚ方向の高さは、第３突起２７の頂部の高さ、及び第４突起２８の頂部の高さと等しくなるように形成されている。第４突起２８は、第２突起２６及び第３突起２７よりも、矢印Ｘ方向のバルブ本体２０から離れた側に設けられている。
【００２９】
第１突起２５は、その外面が弧状を成しているとともに、一端がバルブ本体２０から離れた端部に設けられ、他端がバルブ本体２０に向かって矢印Ｘ方向に直線状に延びている。この第１突起２５の他端は、第２突起２６の第２傾斜面２６ｂ（後述する）に連なっている。
【００３０】
第２突起２６は、上面２３Ｂの中心部に設けられているとともに、前方に向かうに従って、ベース部２３の表面から離れる方向に傾斜した第１傾斜面２６ａと、該第１傾斜面２６ａの縁に連なり、第１傾斜面２６ａの前方に向かうに従ってベース部２３の表面に近付く方向に傾斜した第２傾斜面２６ｂと、を有している。第１傾斜面２６ａは、第２傾斜面２６ｂよりも急勾配に形成されている。第２突起２６は、特許請求の範囲に記載された「突起」に相当する。
【００３１】
ハウジング３は絶縁性の合成樹脂から構成されているとともに、図１に示すように、板状の基壁３１と、該基壁３１の一方の面から筒状に立設された外側筒部３２と、該外側筒部３２の内側に設けられた内側筒部３３と、基壁３１の他方の面から筒状に立設され、内側に相手方のコネクタを挿入させるコネクタ部３４と、基壁３１から外側方向に延在したフランジ部３５と、を備えている。このハウジング３には、外側筒部３２の基壁３１から離れた開口側から、端子部５が外側筒部３２と内側筒部３３との間に挿入され、ベース部２３が内側筒部３３の内側に挿入される。本明細書では、このハウジング３内における、端子部５が収容される空間、及びベース部２３が収容される空間を総称して「収容室３０」と呼ぶ。
【００３２】
内側筒部３３は、基壁３１の一方の面から筒状に立設されているとともに、その矢印Ｘ方向の寸法は、外側筒部３２の矢印Ｘ方向の寸法よりも小さく形成されている。この内側筒部３３の底面３３ａは、基壁３１の一方側の面よりも後方側に位置している。
【００３３】
一対の端子部５の各々は、導電性の板金が折り曲げられることで得られるものであり、図３に示すように、平面視が長方形の板状に形成された端子本体４０と、該端子本体４０の幅方向（矢印Ｘ方向）の一端側に設けられたばね部５０と、端子本体４０の幅方向の他端側に連なる、端子本体４０よりも幅狭な延在部４３と、該延在部４３の長手方向（矢印Ｚ方向）の縁から立設された立設部４４と、該立設部４４に連なる端子４５と、を備えている。この端子４５は、二重になるように折り曲げられた板状に形成されているとともに、一端が立設部４４に連なり、他端が端子本体４０から離れる方向（矢印Ｘ方向）に直線状に延びている。このような端子部５が、端子４５側から収容室３０内に挿入されると、端子本体４０が外側筒部３２と内側筒部３３との間に収容され、端子４５がコネクタ部３４内に収容される。
【００３４】
端子本体４０には、内側筒部３３の外面に当接することにより、ハウジング３に対する端子部５のガタ付きを抑制する当接部４１と、端子部５の収容室３０からの抜けを防止する係止部４２と、が設けられている。当接部４１は、図４に示すように、矢印Ｚ方向の一端部に設けられ、端子本体４０の表面から内側筒部３３の外面、即ち、ベース部２３に向かって突出している。この当接部４１は、前述した立設部４４の立設方向と同じ方向に突出している。係止部４２は、当接部４１よりも矢印Ｚ方向の内側に設けられている。この係止部４２が、外側筒部３２の内面に係止することにより、端子部５がハウジング３に取り付けられ、端子部５が収容室３０内に収容される。
【００３５】
ばね部５０には、図４に示すように、リード線２４に接続される第１ばね片５１と、第２突起２６よりも後方側でベース部２３の表面に当接する第２ばね片５２と、第２突起２６を係止する第３ばね片５３と、第２ばね片５２と第３ばね片５３とを連結する連結部５４と、が設けられている。第１ばね片５１は矢印Ｚ方向の一端部に設けられ、第２ばね片５２は矢印Ｚ方向の他端部に設けられ、第３ばね片５３は、第１ばね片５１と第２ばね片５２との間に設けられている。この連結部５４は、第２ばね片５２よりも幅広に形成され、かつ一端が第２ばね片５２及び第３ばね片５３に連なり、他端がベース部２３から離れる方向（矢印Ｙ方向）に延びている。
【００３６】
第１ばね片５１は、一端が端子本体４０の幅方向（矢印Ｘ方向）の端部に連なり、端子本体４０よりも後方側に設けられたＵ字状の折返部５１ａと、該折返部５１ａに連なり、折返部５１ａよりも前方側に設けられた山型部５１ｂと、を有しているとともに、他端が自由端となっている。折返部５１ａはベース部２３に向かう方向に曲げられているとともに、山型部５１ｂも、ベース部２３に向かう方向に凸に形成されている。
【００３７】
第２ばね片５２は、一端が端子本体４０に連なり、該第２ばね片５２の長手方向（矢印Ｘ方向）の他端が連結部５４に連なっている。この第２ばね片５２には、第１ばね片５１の山型部５１ｂよりも後方側に、ベース部２３に向かって凸に形成された湾曲部５２ａが設けられている。この湾曲部５２ａと、第３ばね片５３の第３当接部５７（後述する）は、矢印Ｚ方向に並んでいる。
【００３８】
第３ばね片５３は、第２突起２６の第１傾斜面２６ａに当接される第１当接部５５と、該第１当接部５５の前方側に連なり、第２傾斜面２６ｂに当接される第２当接部５６と、第１当接部５５の後方側に連なり、ベース部２３の表面に当接される第３当接部５７と、が設けられている。この第３ばね片５３は、一端が連結部５４に連なり、端子本体４０側の他端が自由端の片持ち状に形成されている。
【００３９】
第１当接部５５は、前方に向かうに従って、ベース部２３の表面から離れる方向に傾斜している。即ち、第１当接部５５は第１傾斜面２６ａに沿って形成されている。第２当接部５６は、第１当接部５５に連なり、第１当接部５５の前方側に向かうに従ってベース部２３の表面に近付く方向に傾斜している。即ち、第２当接部５６は第２傾斜面２６ｂに沿って形成されている。第３当接部５７は、ベース部２３の表面に沿って形成されている。端子部５の自然状態において、第３当接部５７は、湾曲部５２ａの頂部よりもベース部２３の表面から離れた位置に設けられている。
【００４０】
次に、収容室３０内に、ベース部２３及び一対の端子部５を収容する手順について、図５、図６を参照して説明する。まず、一対の端子部５の各々は、当接部４１を内側筒部３３の外面に近付ける向きで、端子４５側から、端子本体４０を外側筒部３２と内側筒部３３との間に挿入し、係止部４２を外側筒部３２の内面に係止させ、端子部５をハウジング３に取り付ける。端子本体４０及びばね部５０が収容室３０内に収容され、端子４５がコネクタ部３４内に収容される。この際、当接部４１が内側筒部３３の外面に当接している。この状態で、図５に示すように、バルブ２は、リード線２４を第１ばね片５１に近付ける向きで、ベース部２３側から一対の端子部５間に挿入する。リード線２４に第１ばね片５１の山型部５１ｂが当接する。さらに挿入すると、ベース部２３の表面に第２ばね片５２の湾曲部５２ａが当接し、湾曲部５２ａの第３当接部５７から離れた端部が押し下げられこれに連動され、第３当接部５７の湾曲部５２ａから離れた端部が持ち上げられ、この第３当接部５７の湾曲部５２ａから離れた側の縁が、ベース部２３の表面に当接する。
【００４１】
さらに挿入すると、第２傾斜面２６ｂに第３ばね片５３の第３当接部５７が当接し、第３ばね片５３及び連結部５４が矢印Ｚ方向の外側方向に撓み、第３当接部５７が第２傾斜面２６ｂを乗り上げ、乗り越え、図６に示すように、ベース部２３の表面に当接し、第１傾斜面２６ａに第１当接部５５が当接し、第２傾斜面２６ｂに第２当接部５６が当接する。こうして、第３ばね片５３が第２突起２６を係止する。これにより、第１当接部５５の第１傾斜面２６ａへの作用力Ｆ１、及び第２当接部５６の第２傾斜面２６ｂへの作用力Ｆ２、第３当接部５７のベース部２３の表面への作用力Ｆ３が同時に働き、ハウジング３に対するバルブ２の挿入方向（矢印Ｘ方向）の移動が防止される。また、第１当接部５５が、第１傾斜面２６ａに沿って形成されているから、第１当接部５５の第１傾斜面２６ａへの接触面積を大きくでき、第２当接部５６が、第２傾斜面２６ｂに沿って形成されているから、第２当接部５６の第２傾斜面２６ｂへの接触面積を大きくでき、第３当接部５７が、ベース部２３の表面に沿って形成されているから、第３当接部５７のベース部２３の表面への接触面積を大きくできる。
【００４２】
これと同時に、第２傾斜面２６ｂに第２ばね片５２の湾曲部５２ａが当接し、第２ばね片５２及び連結部５４が矢印Ｚ方向の外側方向に撓み、湾曲部５２ａが第２傾斜面２６ｂを乗り上げ、乗り越え、第２突起２６の後方側でベース部２３の表面に当接する。これにより、バルブ１０２のハウジング１０３に対する抜けが防止される。こうして、ベース部２３が収容室３０内に収容される。
【００４３】
上述した実施形態によれば、第３ばね片５３には、ベース部２３に形成された第２突起２６の第１傾斜面２６ａに当接される第１当接部５５と、第２傾斜面２６ｂに当接される第２当接部５６と、が設けられているから、第１当接部５５の第１傾斜面２６ａへの作用力Ｆ１、及び第２当接部５６の第２傾斜面２６ｂへの作用力Ｆ２が同時に働き、ハウジング３に対するバルブ２の挿入方向（矢印Ｘ方向）の移動が防止され、バルブ２のガタ付きを抑制することができる。
【００４４】
また、第１当接部５５の第１傾斜面２６ａへの接触面積を大きくできるとともに、第２当接部５６の第２傾斜面２６ｂへの接触面積を大きくできるから、第１当接部５５の第１傾斜面２６ａへの摩擦力、及び第２当接部５６の第２傾斜面２６ｂへの摩擦力を大きくでき、これにより、より一層、ハウジング３に対するバルブ２の挿入方向（矢印Ｘ方向）の移動が防止され、バルブ２のガタ付きを抑制することができる。
【００４５】
また、湾曲部５２ａの頂部は、第３当接部５７よりもベース部２３の表面に近い位置に設けられているので、ベース部２３が一対の端子部５間に挿入された際に、湾曲部５２ａの第３当接部５７から離れた端部が押し下げられるのに連動され、第３当接部５７の湾曲部５２ａから離れた端部が持ち上げられ、ベース部２３の傾きを抑制することができる。
【００４６】
また、第３ばね片５３は、端子本体４０と第２ばね片５２との間に切り込みを入れ、第２ばね片５２を、端子本体４０から連結部５４まで割く容易な手段で形成される。即ち、端子部５は、導電性の板金に打ち抜き加工、及び曲げ加工を施すことにより形成されるが、第３ばね片５３は、従来の端子部と同様の金型を用いて打ち抜き加工を施すことにより形成されるので、従来の金型を利用することができ、端子部５の製造コストを抑制することができる。
【００４７】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４８】
１      車両用ルームランプ（照明装置）
２      バルブ
３      ハウジング
５      端子部
２１    発光部
２３    ベース部
２４    リード線（電気接触部）
２６    第２突起（突起）
２６ａ  第１傾斜面
２６ｂ  第２傾斜面
３０    収容室
５１    第１ばね片
５２    第２ばね片
５２ａ  湾曲部
５３    第３ばね片
５５    第1当接部
５６    第２当接部
５７    第３当接部
【図１】
0005812851.tif 000002
【図２】
0005812851.tif 000003
【図３】
0005812851.tif 000004
【図４】
0005812851.tif 000005
【図５】
0005812851.tif 000006
【図６】
0005812851.tif 000007
【図７】
0005812851.tif 000008